(57)【要約】【課題】複数の画像形成装置における画像再現に関する調整を対応させるようにする。【解決手段】データ受付部１４０によって、複数の画像形成装置の各々について画像形成装置の画像再現に関する画像再現情報の入力を受け付ける。選択部１５０によって、複数の画像形成装置の各々の画像再現情報に基づいて、複数の画像形成装置を分類した各グループのうち、複数の画像形成装置のうちの予め選定された基準となる画像形成装置を含まないグループの各々について、グループに分類された画像形成装置の中から、基準となる画像形成装置の画像再現情報に対応する画像再現情報を有する画像形成装置を、グループ内の基準となる画像形成装置であって、かつ、グループに分類された画像形成装置の各々が画像再現に関する調整の目標として用いる画像再現情報を有する画像形成装置として選択する。【選択図】図４
2015076009.tif 000002
【特許請求の範囲】
【請求項１】
複数の画像形成装置の各々について前記画像形成装置の画像再現に関する画像再現情報の入力を受け付ける受付手段と、
前記複数の画像形成装置の各々の画像再現情報に基づいて、前記複数の画像形成装置を分類した各グループのうち、前記複数の画像形成装置のうちの予め選定された基準となる画像形成装置を含まないグループの各々について、前記グループに分類された画像形成装置の中から、前記基準となる画像形成装置の画像再現情報に対応する画像再現情報を有する画像形成装置を、前記グループ内の基準となる画像形成装置であって、かつ、前記グループに分類された画像形成装置の各々が画像再現に関する調整の目標として用いる画像再現情報を有する画像形成装置として選択する選択手段と、
を含む情報処理装置。
【請求項２】
前記受付手段は、前記予め選定された基準となる画像形成装置の画像再現情報を、画像再現に関する調整の目標として用いて、前記複数の画像形成装置の各々について前記画像形成装置の画像再現に関する調整を行ったときの、前記複数の画像形成装置の各々の画像再現情報の入力を受け付ける請求項１記載の情報処理装置。
【請求項３】
前記予め選定された基準となる画像形成装置の画像再現情報を記憶した記憶手段と、
前記複数の画像形成装置の各々について前記画像再現情報の入力を受け付ける第２受付手段と、
前記記憶手段に記憶された前記画像再現情報と、前記第２受付手段により受け付けた前記複数の画像形成装置の各々の前記画像再現情報とに基づいて、前記予め選定された基準となる画像形成装置を含まないグループの各々について、前記グループに分類された画像形成装置の中から、前記グループ内の基準となる画像形成装置を更新するグループ内基準更新手段と、
を更に含む請求項１又は２記載の情報処理装置。
【請求項４】
前記複数の画像形成装置の各々の画像再現情報に基づいて、前記複数の画像形成装置をグループに分類する分類手段を更に含む請求項１〜請求項３の何れか１項記載の情報処理装置。
【請求項５】
請求項１〜請求項４の何れか１項に記載の情報処理装置と、
画像情報に基づいて画像を形成する複数の画像形成装置であって、前記予め選定された基準となる画像形成装置の画像再現情報、又は前記グループ内の基準となる画像形成装置の画像再現情報を用いて、画像再現に関する調整が行われる複数の画像形成装置と、
を含む画像形成システム。
【請求項６】
コンピュータを、
複数の画像形成装置の各々について前記画像形成装置の画像再現に関する画像再現情報の入力を受け付ける受付手段、及び
前記複数の画像形成装置の各々の画像再現情報に基づいて、前記複数の画像形成装置を分類した各グループのうち、前記複数の画像形成装置のうちの予め選定された基準となる画像形成装置を含まないグループの各々について、前記グループに分類された画像形成装置の中から、前記基準となる画像形成装置の画像再現情報に対応する画像再現情報を有する画像形成装置を、前記グループ内の基準となる画像形成装置であって、かつ、前記グループに分類された画像形成装置の各々が画像再現に関する調整の目標として用いる画像再現情報を有する画像形成装置として選択する選択手段
として機能させるためのプログラム。
【発明の詳細な説明】
【技術分野】
【０００１】
本発明は、情報処理装置、プログラム及び画像形成システムに関する。
【背景技術】
【０００２】
特許文献１には、画像読取り部および該画像読取り部で読取られた画像を複写画像としてプリント出力する画像出力部を有した複写装置であって、該複写装置が画像出力装置を接続した通信手段に接続されたとき、当該画像出力装置を特定するための表示を行う操作部と、該操作部を介して選択された画像出力装置にテストパターン画像を出力させるパターン出力手段と、前記操作部を介して選択された画像出力装置から出力されたテストパターン画像を、前記画像読取り部によって読取り、該読取り結果に基づいて前記選択に係る画像出力装置の画像出力条件を補正するための補正データを作成する補正データ作成手段とを有し、前記補正データ作成手段が作成した補正データにより、当該画像出力装置の画像出力条件を補正するデータが更新されることを特徴とする複写装置が開示されている。
【０００３】
特許文献２には、複数の画像形成装置と、基準画像データに基づいて上記複数の画像形成装置より試験画像を出力させる試験画像出力制御手段とを備え、ユーザの指示に従いすべての画像形成装置から試験画像を出力することを特徴とする画像処理装置が開示されている。
【先行技術文献】
【特許文献】
【０００４】
【特許文献１】特開２０００−２５３２５２号公報
【特許文献２】特開２００２−３６８９３３号公報
【発明の概要】
【発明が解決しようとする課題】
【０００５】
本発明は、複数の画像形成装置における画像再現に関する調整を対応させることを課題とする。
【課題を解決するための手段】
【０００６】
請求項１の発明は、複数の画像形成装置の各々について前記画像形成装置の画像再現に関する画像再現情報の入力を受け付ける受付手段と、前記複数の画像形成装置の各々の画像再現情報に基づいて、前記複数の画像形成装置を分類した各グループのうち、前記複数の画像形成装置のうちの予め選定された基準となる画像形成装置を含まないグループの各々について、前記グループに分類された画像形成装置の中から、前記基準となる画像形成装置の画像再現情報に対応する画像再現情報を有する画像形成装置を、前記グループ内の基準となる画像形成装置であって、かつ、前記グループに分類された画像形成装置の各々が画像再現に関する調整の目標として用いる画像再現情報を有する画像形成装置として選択する選択手段と、を含む情報処理装置である。
【０００７】
請求項２の発明は、前記受付手段は、前記予め選定された基準となる画像形成装置の画像再現情報を、画像再現に関する調整の目標として用いて、前記複数の画像形成装置の各々について前記画像形成装置の画像再現に関する調整を行ったときの、前記複数の画像形成装置の各々の画像再現情報の入力を受け付ける請求項１記載の情報処理装置である。
【０００８】
請求項３の発明は、前記予め選定された基準となる画像形成装置の画像再現情報を記憶した記憶手段と、前記複数の画像形成装置の各々について前記画像再現情報の入力を受け付ける第２受付手段と、前記記憶手段に記憶された前記画像再現情報と、前記第２受付手段により受け付けた前記複数の画像形成装置の各々の前記画像再現情報とに基づいて、前記予め選定された基準となる画像形成装置を含まないグループの各々について、前記グループに分類された画像形成装置の中から、前記グループ内の基準となる画像形成装置を更新するグループ内基準更新手段と、を更に含む請求項１又は２記載の情報処理装置である。
【０００９】
請求項４の発明は、前記複数の画像形成装置の各々の画像再現情報に基づいて、前記複数の画像形成装置をグループに分類する分類手段を更に含む請求項１〜請求項３の何れか１項記載の情報処理装置である。
【００１０】
請求項５の発明は、請求項１〜請求項４の何れか１項に記載の情報処理装置と、画像情報に基づいて画像を形成する複数の画像形成装置であって、前記予め選定された基準となる画像形成装置の画像再現情報、又は前記グループ内の基準となる画像形成装置の画像再現情報を用いて、画像再現に関する調整が行われる複数の画像形成装置と、を含む画像形成システムである。
【００１１】
請求項６の発明は、コンピュータを、複数の画像形成装置の各々について前記画像形成装置の画像再現に関する画像再現情報の入力を受け付ける受付手段、及び前記複数の画像形成装置の各々の画像再現情報に基づいて、前記複数の画像形成装置を分類した各グループのうち、前記複数の画像形成装置のうちの予め選定された基準となる画像形成装置を含まないグループの各々について、前記グループに分類された画像形成装置の中から、前記基準となる画像形成装置の画像再現情報に対応する画像再現情報を有する画像形成装置を、前記グループ内の基準となる画像形成装置であって、かつ、前記グループに分類された画像形成装置の各々が画像再現に関する調整の目標として用いる画像再現情報を有する画像形成装置として選択する選択手段として機能させるためのプログラムである。
【発明の効果】
【００１２】
本発明の請求項１、５、６の構成によれば、複数の画像形成装置が、予め選定された基準となる画像形成装置を目標として画像再現に関する調整を行う場合と比較して、複数の画像形成装置における画像再現に関する調整を対応させることができる。
【００１３】
本発明の請求項２の構成によれば、本構成を有しない場合と比較して、複数の画像形成装置の画像再現情報を、予め選定された基準となる画像形成装置の画像再現情報に近づけることができる。
【００１４】
本発明の請求項３の構成によれば、グループ内の基準となる画像形成装置を更新しない場合と比較して、複数の画像形成装置における画像再現に関する調整の対応を維持させることができる。
【００１５】
本発明の請求項４の構成によれば、画像再現情報に基づいて、複数の画像形成装置をグループに分類することができる。
【図面の簡単な説明】
【００１６】
【図１】本実施の形態に係る画像形成システムの構成を示す概略図である。
【図２】画像形成装置の概略構成図である。
【図３】管理用サーバー、画質調整用コンピュータ、及びメンテナンス会社側サーバーの概略構成図である。
【図４】画像形成システムの機能ブロック図である。
【図５】管理用サーバーが、複数の画像形成装置から測定算出データを取得する方法を説明する説明図である。
【図６】管理用サーバーに記憶される管理用データベースの概略構成図である。
【図７】スコアの算出方法を説明するための説明図である。
【図８】機種グループ毎の色域を説明するための説明図である。
【図９】グループ基準機に基づいて画像形成装置の各々を調整する利点を説明するための説明図である。
【図１０】実施の形態に係る画像形成システムにおける画質調整処理ルーチンを示すフローチャートである。
【図１１】実施の形態に係る画像形成システムにおける画質管理処理ルーチンの前半部分を示すフローチャートである。
【図１２】実施の形態に係る画像形成システムにおける画質管理処理ルーチンの後半部分を示すフローチャートである。
【発明を実施するための形態】
【００１７】
＜実施の形態＞
以下に、本発明に係る実施の形態の一例を図面に基づき説明する。
【００１８】
（画像形成システム）
図１に、本実施形態に係る画像形成システム１０の概略構成の一例を示す。画像形成システム１０は、図１に示すように、複数の画像形成装置１２、画質管理サーバー１４、画質調整用コンピュータ１５、及びメンテナンス会社側サーバー１７を備えている。複数の画像形成装置１２及び画質管理サーバー１４が、通信手段１３を介して相互に接続された構成となっている。画質管理サーバー１４及びメンテナンス会社側サーバー１７が、通信手段１６を介して相互に接続された構成となっている。画質調整用コンピュータ１５は、複数の画像形成装置１２の何れか一つと接続される。なお、画質管理サーバー１４が、情報処理装置の一例である。
【００１９】
図２には、複数の画像形成装置１２の概略構成を例示した。同図に示すように、画像形成装置１２は、コンピュータ１８、操作表示部２０、画像読取部２２、画像形成部２４、用紙供給部２６、用紙排出部２８、通信インターフェース（Ｉ／Ｆ）３０、電話回線インターフェース（Ｉ／Ｆ）３２、及びハードディスク３４等を含んで構成されている。
【００２０】
コンピュータ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、及び入出力インターフェース（Ｉ／Ｏ）１８Ｅがバス１８Ｆを介して各々接続された構成となっている。
【００２１】
Ｉ／Ｏ１８Ｅには、操作表示部２０、画像読取部２２、画像形成部２４、用紙供給部２６、用紙排出部２８、通信インターフェース（Ｉ／Ｆ）３０、電話回線インターフェース（Ｉ／Ｆ）３２、及びハードディスク３４等の各機能部が接続されている。
【００２２】
操作表示部２０は、例えばコピー開始等を指示するためのスタートボタンやテンキー等の各種ボタン、コピー濃度等の各種の画像形成条件等のパラメータを設定するための設定画面、装置の状態等の各種画面等を表示するためのタッチパネル等を含んで構成される。
【００２３】
画像読取部２２は、ラインＣＣＤ等の画像読取センサや当該画像読取センサを走査するための走査機構等を含んで構成され、装置にセットされた原稿の画像を読み取る。
【００２４】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００２５】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００２６】
用紙供給部２６は、記録用紙が収容される用紙収容部や、用紙収容部から画像形成部２４へ記録用紙を供給する供給機構等を含んで構成される。
【００２７】
用紙排出部２８は、記録用紙が排出される排出部や、画像形成部２４で画像が形成された記録用紙を排出部上に排出させるための排出機構等を含んで構成される。
【００２８】
通信Ｉ／Ｆ３０は、通信手段１３を介して画質管理サーバー１４等の他の装置とデータ通信を行うためのインターフェースである。
【００２９】
電話回線通信Ｉ／Ｆ３２は、図示しない電話回線を介して接続された他の画像形成装置とファクシミリ通信を行うためのインターフェースである。
【００３０】
ハードディスク３４は、例えば装置の各部の状態や稼働状況等のログデータ、コピーやファクシミリ通信、プリント等の処理結果のログデータ、各種の設定データ、制御プログラム等が記憶される。
【００３１】
なお、各処理の制御プログラムは、本実施形態では一例としてハードディスク３４に予め記憶され、ＣＰＵ１８Ａがこの予め記憶された制御プログラムを読み込むことにより実行される。また、ＣＤ−ＲＯＭ等の記録媒体に制御プログラムを記録し、これをＣＤ−ＲＯＭドライブ等で読み込むことにより実行するようにしてもよい。
【００３２】
図３には、画質管理サーバー１４の概略構成を例示した。同図に示すように、画質管理サーバー１４は、コンピュータ４０を含んで構成されている。
【００３３】
コンピュータ４０は、ＣＰＵ４０Ａ、ＲＯＭ４０Ｂ、ＲＡＭ４０Ｃ、不揮発性メモリ４０Ｄ、及び入出力インターフェース（Ｉ／Ｏ）４０Ｅがバス４０Ｆを介して各々接続された構成となっている。
【００３４】
Ｉ／Ｏ４０Ｅには、キーボードやマウス等を含んで構成された操作部４２、液晶ディスプレイ等で構成された表示部４４、通信手段１３又は１６を介して他の装置とデータ通信するための通信インターフェース（Ｉ／Ｆ）４６、及び後述する処理の制御プログラム等を記憶するためのハードディスク４８等が接続されている。
【００３５】
なお、後述する処理ルーチンに係る制御プログラムは、本実施形態では一例としてハードディスク４８に予め記憶され、ＣＰＵ４０Ａがこの予め記憶された制御プログラムを読み込むことにより実行される。また、ＣＤ−ＲＯＭ等の記録媒体に制御プログラムを記録し、これをＣＤ−ＲＯＭドライブ等で読み込むことにより実行するようにしてもよい。
【００３６】
また、画質調整用コンピュータ１５、及びメンテナンス会社側サーバー１７は、画質管理サーバー１４と同様に、上記図３に示すように、コンピュータ４０、操作部４２、表示部４４、通信インターフェース（Ｉ／Ｆ）４６、及びハードディスク４８等を含んで構成されている。
【００３７】
ここで、画質調整用コンピュータ１５は、画像形成システム１０を管理運用するサービスメンテナンス会社のカスタマーエンジニアが携帯するコンピュータである。カスタマーエンジニアは、画像形成装置１２の各々に画質調整用コンピュータ１５を接続し、当該画像形成装置の画質を調整する。
【００３８】
また、メンテナンス会社側サーバー１７は、画像形成装置に対してメンテナンスが必要な場合等に、画質管理サーバー１４が発報する信号を受け付けるコンピュータである。
【００３９】
図４（Ａ）に、画像形成装置１２のコンピュータ１８の機能ブロック図を示す。図４（Ｂ）に、画質管理サーバー１４のコンピュータ４０の機能ブロック図を示す。
【００４０】
画像形成装置１２のコンピュータ１８は、スキャンデータ受付部１２０と、測定算出部１２２と、出力部１２４と、基準データ受付部１２６と、画質調整部１２８とを含んで構成されている。
【００４１】
スキャンデータ受付部１２０は、管理チャートを画像読取部２２によって読み取って得られたスキャンデータを受け付ける。
【００４２】
ここで、管理チャートとは、図５に示すように、様々な色を含んで構成されるチャートであって、画像形成装置１２の画像再現に関する情報を取得するためのものである。具体的には、まず、メンテナンスサービス会社のカスタマーエンジニア等の操作によって、画像形成装置１２は管理チャートの印刷処理を行う。次に、カスタマーエンジニア等によって、印刷された管理チャートを画像形成装置１２の画像読取部２２によって、スキャンする。そして、スキャンデータ受付部１２０は、スキャンされた管理チャートの画像の入力を受け付ける。
【００４３】
測定算出部１２２は、スキャンデータ受付部１２０によって受け付けた管理チャートの画像の色について測定し、画像形成装置１２の画像再現に関する情報である測定算出データを算出する。測定算出データは、例えば、単色の階調再現についての情報（以下、単色階調再現性能情報）、色の再現についての情報（以下、色再現性能情報）、及び濃度の再現についての情報（以下、濃度再現性能情報）を含む。なお、測定算出データが画像再現情報の一例である。
【００４４】
出力部１２４は、測定算出部１２２によって算出された測定算出データを、上記図５に示すように、通信手段１３を介して画質管理サーバー１４へ送信する。
【００４５】
基準データ受付部１２６は、画質管理サーバー１４から受信した画像再現調整の基準に関する各種データを受け付け、受け付けた各種データを、不揮発性メモリ１８Ｄに格納する。
【００４６】
画質調整部１２８は、画質調整用コンピュータ１５から入力された調整用の信号に基づいて、画像形成装置１２の画像再現に関する調整を行う。例えば、単色階調再現性能、色再現性能、及び濃度再現性能が調整される。
【００４７】
画質管理サーバー１４は、データ受付部１４０と、管理用データベース１４２と、設定部１４４と、更新部１５２と、データ出力部１６０とを含んで構成されている。データ受付部１４０は、受付手段及び第２受付手段の一例である。また、管理用データベース１４２は記憶手段の一例である。
【００４８】
データ受付部１４０は、複数の画像形成装置１２の各々から送信された測定算出データの入力を受け付ける。
【００４９】
管理用データベース１４２には、図６に示すように、データ受付部１４０で受け付けた測定算出データを含む各種データが画像形成装置１２毎に格納される。また、管理用データベース１４２には、上記図６に示すように、画像再現調整の基準に関する各種データが格納される。例えば、管理用データベース１４２には、品質基準としてユーザによって予め決定された、測定算出データが格納されている。また、管理用データベース１４２には、単色の階調再現についての情報（以下、単色階調再現性能情報）、色の再現についての情報（以下、色再現性能情報）、及び濃度の再現についての情報（以下、濃度再現性能情報）等が格納されている。
【００５０】
ここで、単色階調再現性能情報、色再現性能情報、及び濃度再現性能情報は、ユーザによって予め決定されるものであるが、複数の画像形成装置１２のうち、当該情報を良く再現する画像形成装置が、全体の基準となる画像形成装置（以下、品質基準機という。）として選定され、品質基準機情報が、管理用データベース１４２に格納される。
【００５１】
ここで、選定される品質基準機の前提条件としては、画像形成装置内の機器の特性が性能仕様に準拠した状態であること、画像形成装置内の機器の特性の管理及び調整が可能であること、色変換プロファイル（画像形成装置の入力機器と出力機器の色属性）の生成、適用、及び管理が可能であること、単色階調の維持及び管理が可能であること、等が一例として挙げられる。
【００５２】
品質基準機として選定される画像形成装置１２では、単色階調再現性能情報、色再現性能情報、及び濃度再現性能情報に近づくように、画像再現に関する調整が行われる。そして、画像再現に関する調整が行われた品質基準機である画像形成装置１２から得られる測定算出データが、品質基準ターゲットデータとして、管理用データベース１４２に格納される。
【００５３】
管理用データベース１４２に格納されている画像形成装置１２毎の測定算出データは、画像形成装置１２から測定算出データが送信される毎に更新される。
【００５４】
管理用データベース１４２では、画像形成装置１２の各々について、ユーザＩＤ、機種グループＩＤ、シリアル番号等によって、各々のデータを管理している。
【００５５】
設定部１４４は、スコア算出部１４６と、分類部１４８と、選択部１５０とを含んで構成されている。
【００５６】
スコア算出部１４６は、画像形成装置１２の各々について、管理用データベース１４２に格納された品質基準ターゲットデータと、当該画像形成装置１２の測定算出データとに基づいて、品質基準ターゲットデータとの一致度に応じたスコアを算出する。ここで、ユーザが予め設定した性能の優先度に基づく重みによって、スコアが算出される。
【００５７】
例えば、ユーザが設定した性能の優先度が、単色階調再現性能＞色再現性能＞濃度再現性能である場合には、以下のようにスコアが算出される。
【００５８】
図７に、スコア算出の一例を示す。図７では、優先度が、単色階調再現性能＞色再現性能＞濃度再現性能である場合に、各々の重みについて、単色階調再現性能に対する重みが１、色再現性能に対する重みが３／４、濃度再現性能に対する重みが１／２として設定されている。この場合に、品質基準ターゲットデータと当該画像形成装置の測定算出データとを比較し、単色階調再現性能、色再現性能、及び濃度再現性能の各々の項目についての一致度に基づいて、スコアが算出される。
【００５９】
具体的には、スコア算出部１４６は、品質基準ターゲットデータの色再現性能情報と、画像形成装置１２の測定算出データの色再現性能情報とのＬ＊ａ＊ｂ＊色空間上での差ΔＥ＊ａｂを算出する。そして、当該差ΔＥ＊ａｂに応じて、色再現性能に関するスコアを算出する。当該差ΔＥ＊ａｂが予め定められた値以上である場合には、色再現性能に関するスコアを０とする。
【００６０】
分類部１４８は、複数の画像形成装置１２の各々の測定算出データに基づいて、複数の画像形成装置１２を、グループに分類する。具体的には、分類部１４８は、まず、画像形成装置１２の各々について、管理用データベース１４２に格納されている測定算出データに基づいて、画像形成装置が再現する色域を算出する。そして、分類部１４８は、画像形成装置１２の各ペアについて、当該ペアの画像形成装置１２について算出された色域に基づいて、色域の色ごとに色相差ΔＨ＊を算出し、当該色相差ΔＨ＊が予め定められた値以下であり、かつ、Process(Yellow,Magenta,Cyan)で形成されるカバレッジ100%の黒のL*値を算出して比較対象同士の再現可能な最低明度値が予め定められた値以下の差であれば、当該ペアは同一グループであると判定する。一方、当該色相差ΔＨ＊もしくは、最低明度値の差が予め定められた値より大きければ、分類部１４８は、当該ペアは異なるグループであると判定する。分類部１４８は、画像形成装置１２の各ペアについての判定結果に基づいて、複数の画像形成装置１２を、複数のグループに分類する。画像形成装置が再現する色域の一例を図８に示す。
【００６１】
図８では、機種Ａ、機種Ｂ、及び機種Ｃについての色域を示している。図８は、ａ＊ｂ＊色空間を示しており、ＹはＹｅｌｌｏｗ、ＧはＧｒｅｅｎ、ＣはＣｙａｎ、ＢはＢｌｕｅ、ＭはＭａｇｅｎｄａ、ＲはＲｅｄの各色を表しており、外郭が、画像形成装置１２が再現する色域を表す。
【００６２】
図８（Ａ）、（Ｂ）は、機種Ａ、Ｂの画像形成装置１２が再現する色域を表す。図８（Ａ）の色域を、図８（Ｂ）に重ね合わせて表示すると、色相が回転しており、Ｒ、Ｇ、Ｂの各色で、機種Ａの色相と、機種Ｂの色相とが、ずれていることがわかる。また、機種Ｂの色域は、機種Ａの色域よりも小さいため、機種Ｂの色再現は、機種Ａの色再現に比べ、コントラストが落ちることがわかる。
【００６３】
また、図８（Ａ）の色域を、図８（Ｃ）に重ね合わせて表示すると、色域は似通っており、コントラストは確保できていることがわかる。しかし、Ｂの領域で色相がずれていることがわかる。そのため、機種Ａと機種Ｃとは、異なるグループに分類される。
【００６４】
選択部１５０は、複数の画像形成装置１２の各々の測定算出データに基づいて、分類部１４８によって分類された各グループのうち、品質基準機が属していないグループの各々について、当該グループに分類された画像形成装置１２の中から、当該グループ内の基準となる画像形成装置である基準機（以下、グループ基準機という。）を選択する。
【００６５】
具体的には、選択部１５０は、分類部１４８によって分類された各グループのうち、品質基準機が属していないグループの各々について、当該グループに属する画像形成装置１２のうち、スコア算出部１４６によって算出されたスコアが最も高い画像形成装置１２を、グループ基準機として選択する。
【００６６】
また、選択部１５０は、グループ基準機として選択された画像形成装置１２に関する情報を、グループ基準機情報として、グループ毎に管理用データベース１４２に格納し、グループ基準機として選択された画像形成装置１２の測定算出データを、グループ基準ターゲットデータとして、グループ毎に管理用データベース１４２に格納する。
【００６７】
更新部１５２は、スコア算出部１５４と、基準更新部１５６と、グループ内基準更新部１５８とを含んで構成されている。
【００６８】
スコア算出部１５４は、画像形成装置１２の各々について、スコア算出部１４６と同様に、管理用データベース１４２に格納された品質基準ターゲットデータと、当該画像形成装置１２の測定算出データとに基づいて、品質基準ターゲットデータとの一致度に応じたスコアを算出する。
【００６９】
基準更新部１５６は、品質基準機が属するグループの画像形成装置１２の各々についてスコア算出部１４６によって算出されたスコアに基づいて、品質基準機が属するグループの画像形成装置１２の各々のうち、最も高いスコアの画像形成装置１２を品質基準機として更新する。
【００７０】
グループ内基準更新部１５８は、品質基準機を含まない各グループに対し、当該グループに属する画像形成装置１２の各々についてスコア算出部１４６によって算出されたスコアに基づいて、当該グループに属する画像形成装置１２の各々のうち、最も高いスコアの画像形成装置１２を当該グループのグループ基準機として更新する。また、グループ内基準更新部１５８は、過去のグループ基準機の最大スコアより更新されたグループ基準機のスコアが大きい場合には、更新されたグループ基準機の測定算出データを、基準ターゲットデータとして、管理用データベース１４２に格納する。
【００７１】
データ出力部１６０は、品質基準機を含むグループに属する画像形成装置１２の各々に対し、管理用データベース１４２に格納された品質基準ターゲットデータ及び品質基準機情報を送信する。また、データ出力部１６０は、品質基準機を含まない各グループについて、当該グループに属する画像形成装置１２の各々に対し、管理用データベース１４２に格納された当該画像形成装置が属するグループのグループ基準機情報及びグループ基準ターゲットデータを送信する。
【００７２】
画質調整用コンピュータ１５は、接続された画像形成装置１２から、品質基準ターゲットデータ又は基準ターゲットデータと、当該画像形成装置１２の測定算出データとを読み込み、品質基準ターゲットデータ又は基準ターゲットデータと、当該画像形成装置１２の測定算出データとを表示部４４により表示する。カスタマーエンジニアの操作部４２の操作に応じて、画質調整用コンピュータ１５は、画像形成装置１２に対し、画像再現に関する調整用の信号を出力し、画像形成装置１２の画像再現に関する調整を行う。
【００７３】
ここで、カスタマーエンジニアによる複数の画像形成装置１２に対する調整の手順について説明をする。
【００７４】
図９に、品質基準機を中心とした色調図を示す。図９では、品質基準機を星マーク、品質基準機と同一グループＡに属する画像形成装置を丸内に×マーク、品質基準機と異なるグループＢに属する画像形成装置を丸内に△マーク、グループＢのグループ基準機を◎で表す。
【００７５】
図９（Ａ）に示すように、品質基準機がグループＡに属する場合について説明する。
【００７６】
まず、品質基準機の品質基準ターゲットデータを目標として用いて、複数の画像形成装置１２の各々に対し、画像再現に関する調整を行う。これにより、図９（Ｂ）に示すように、グループＡに属する画像形成装置の各々、及びグループＢに属する画像形成装置の各々が、品質基準機に近づくように調整される。
【００７７】
グループＡに属する画像形成装置１２は、画像形成装置を構成する機器に微小な差があるために、色調図上では、品質基準機を中心とした小さな集団体となる。
【００７８】
次に、調整の結果として得られた測定算出データに基づいて選定された、グループＢのグループ基準機のグループ基準ターゲットデータを目標として用いて、グループＢに属する画像形成装置１２の各々に対し、画像再現に関する調整を行う。これにより、図９（Ｃ）に示すように、グループＢに属する画像形成装置１２の各々が、グループＢのグループ基準機に近づくように調整され、グループＢ全体がグループ基準機を中心とした小さな集団体となる。その結果、グループＡの小集団体とグループＢの小集団体がまとまった関係に集約される。
【００７９】
メンテナンス会社側サーバー１７は、画質管理サーバー１４から送信された発報を受け付け、受け付けた発報を示す情報を、表示部４４に表示する。
【００８０】
＜画像形成システムの作用＞
【００８１】
次に、本実施の形態に係る画像形成システム１０の作用について説明する。複数の画像形成装置１２及び画質管理サーバー１４が設置されたときに、カスタマーエンジニアが、画質調整用コンピュータ１５を、品質基準機として予め選定された画像形成装置１２に接続し、画質調整用コンピュータ１５を操作することにより、調整用の信号を出力し、品質基準機である画像形成装置１２が調整される。そして、カスタマーエンジニアが、品質基準機である画像形成装置１２を操作することにより、管理チャートが出力される。次に、カスタマーエンジニアの操作により、品質基準機である画像形成装置１２が、管理チャートをスキャンし、スキャンデータ受付部１２０によって管理チャートのスキャンデータを受け付けると、測定算出部１２２によって測定算出データが算出され、出力部１２４によって品質基準機の測定算出データが画質管理サーバー１４へ送信される。
【００８２】
次に、画質管理サーバー１４は、品質基準機である画像形成装置１２から送信された測定算出データを受信すると、品質基準ターゲットデータとして管理用データベース１４２へ格納する。そして、画質管理サーバー１４は、品質基準ターゲットデータを各画像形成装置１２へ送信する。
【００８３】
各画像形成装置１２は、画質管理サーバー１４によって送信された品質基準ターゲットデータを受信し、基準データ受付部１２６により受け付ける。
【００８４】
そして、カスタマーエンジニアが画質調整用コンピュータ１５を、品質基準機でない画像形成装置１２に接続し、当該画像形成装置１２から品質基準ターゲットデータを取得する。また、カスタマーエンジニアが、当該画像形成装置１２を操作することにより、管理チャートが出力される。次に、カスタマーエンジニアの操作により、当該画像形成装置１２が、管理チャートをスキャンし、スキャンデータ受付部１２０によって管理チャートのスキャンデータを受け付けると、測定算出部１２２によって測定算出データが算出される。カスタマーエンジニアが画質調整用コンピュータ１５を操作することにより、当該画像形成装置１２から測定算出データを取得する。カスタマーエンジニアが、当該画像形成装置１２の測定算出データと、品質基準ターゲットデータとに基づいて、画像再現に関する調整情報を算出し、調整情報に応じて画質調整用コンピュータ１５を操作することにより、調整用の信号を出力する。これにより、当該画像形成装置１２の画質調整部１２８によって、当該画像形成装置１２の画像再現に関する調整を行う。そして、カスタマーエンジニアの操作により、調整完了後の当該画像形成装置から管理チャートが出力される。次に、カスタマーエンジニアの操作により、当該画像形成装置１２が、管理チャートをスキャンし、スキャンデータ受付部１２０によって管理チャートのスキャンデータを受け付けると、測定算出部１２２によって測定算出データが算出され、出力部１２４によって当該画像形成装置１２の測定算出データが画質管理サーバー１４へ送信される。画質管理サーバー１４は、画像形成装置１２から送信された測定算出データを受信すると、受信した測定算出データを管理用データベース１４２へ格納する。
【００８５】
上記の画像再現に関する調整及び測定算出データの送信が、品質基準機でない画像形成装置１２の各々について繰り返される。
【００８６】
そして、画質管理サーバー１４において、図１０に示す画質調整処理ルーチンが実行される。
【００８７】
まず、ステップＳ１００において、スコア算出部１４６によって、画像形成装置１２の各々について、管理用データベース１４２に格納された品質基準ターゲットデータと、当該画像形成装置１２の測定算出データとに基づいて、品質基準ターゲットデータとの一致度に応じたスコアを算出する。
【００８８】
ステップＳ１０２において、分類部１４８によって、管理用データベース１４２に格納された画像形成装置１２の各々の測定算出データに基づいて、複数の画像形成装置１２を、グループに分類する。
【００８９】
ステップＳ１０４において、品質基準機である画像形成装置１２が属していないグループの中から、処理対象のグループを１つ設定する。
【００９０】
ステップＳ１０６において、選択部１５０によって、処理対象のグループに属する画像形成装置１２の各々の上記ステップＳ１００で算出されたスコアに基づいて、処理対象のグループに属する画像形成装置１２の中から、グループ基準機を選択する。
【００９１】
ステップＳ１０８において、上記ステップＳ１０６で選択されたグループ基準機となる画像形成装置１２を示す情報をグループ基準機情報として管理用データベース１４２へ格納すると共に、グループ基準機となる画像形成装置１２の測定算出データを、グループ基準ターゲットデータとして管理用データベース１４２へ格納する。
【００９２】
ステップＳ１１０において、品質基準機である画像形成装置１２が属していない全てのグループについて上記ステップＳ１０４〜Ｓ１０８の処理を実行したか否かを判定する。品質基準機である画像形成装置１２が属していない全てのグループについて上記ステップＳ１０４〜Ｓ１０８の処理を実行した場合には、ステップＳ１２６へ進む。一方、上記ステップＳ１０４〜Ｓ１０８の処理を実行していないグループが存在する場合には、ステップＳ１０４へ戻る。
【００９３】
ステップＳ１１２において、データ出力部１６０によって、品質基準機である画像形成装置１２が属していない各グループについて、管理用データベース１４２へ格納された当該グループのグループ基準機情報とグループ基準ターゲットデータとを、当該グループに属する各画像形成装置１２へ送信して、画質調整処理ルーチンを終了する。
【００９４】
各画像形成装置１２は、基準データ受付部１２６によって、画質管理サーバー１４より送信されたグループ基準機情報とグループ基準ターゲットデータとを受け付ける。
【００９５】
そして、カスタマーエンジニアが、画質調整用コンピュータ１５を、品質基準機である画像形成装置１２を含まないグループに属する画像形成装置１２に接続し、当該画像形成装置１２からグループ基準ターゲットデータを取得する。
【００９６】
また、カスタマーエンジニアが画質調整用コンピュータ１５を操作することにより、当該画像形成装置１２から測定算出データを取得する。カスタマーエンジニアが、当該画像形成装置１２の測定算出データと、グループ基準ターゲットデータとに基づいて、画像再現に関する調整情報を算出し、調整情報に応じて画質調整用コンピュータ１５を操作することにより、調整用の信号を出力する。これにより、当該画像形成装置１２の画質調整部１２８によって、当該画像形成装置１２の画像再現に関する調整を行う。上記の画像再現に関する調整が、品質基準機である画像形成装置１２を含まないグループに属する各画像形成装置１２について繰り返される。
【００９７】
次に、図１１に示す画質管理処理ルーチンについて説明する。画質管理サーバー１４は、予め定められた期間毎に、メンテナンス会社側サーバー１７へ維持管理に関する信号を出力する。メンテナンス会社側サーバー１７は、画質管理サーバー１４からの維持管理に関する信号を受け付けると、カスタマーエンジニアが、複数の画像形成装置１２の設置場所へ訪問する。
【００９８】
そして、カスタマーエンジニアが、画像形成装置１２を操作することにより、当該画像形成装置１２により管理チャートが出力される。次に、カスタマーエンジニアの操作により、当該画像形成装置１２が、管理チャートをスキャンし、スキャンデータ受付部１２０によって管理チャートのスキャンデータを受け付けると、測定算出部１２２によって測定算出データが算出される。出力部１２４によって当該画像形成装置の測定算出データが画質管理サーバー１４へ送信される。画質管理サーバー１４は、画像形成装置１２から送信された測定算出データを受信すると、受信した測定算出データを管理用データベース１４２へ格納する。
【００９９】
上記の測定算出データの送信が、画像形成装置１２の各々について繰り返される。
【０１００】
そして、画質管理サーバー１４によって、図１１に示す画質管理処理ルーチンが実行される。
【０１０１】
まず、ステップＳ２００において、スコア算出部１５４によって、画像形成装置１２の各々について、管理用データベース１４２に格納された品質基準ターゲットデータと、当該画像形成装置１２の測定算出データとに基づいて、品質基準ターゲットデータとの一致度に応じたスコアを算出する。
【０１０２】
ステップＳ２０２において、上記ステップＳ２００で算出された画像形成装置１２の各々のスコアのうち、最も高いスコアを有する画像形成装置１２は、現在の品質基準機であるか否かを判定する。最も高いスコアを有する画像形成装置１２が現在の品質基準機である場合には、ステップＳ２１０へ進む。一方、最も高いスコアを有する画像形成装置が現在の品質基準機でない場合には、ステップＳ２０４へ進む。
【０１０３】
ステップＳ２０４において、画質管理サーバー１４によって、メンテナンス会社側サーバー１７へ信号を出力し、現在の品質基準機についてメンテナンスが必要である旨を通知する。
【０１０４】
ステップＳ２０６において、基準更新部１５６によって、現在の品質基準機が属するグループの画像形成装置の各々について上記ステップＳ２００で算出されたスコアに基づいて、現在の品質基準機が属するグループの画像形成装置の各々のうち、最も高いスコアを有する画像形成装置１２を新たな品質基準機として選択する。
【０１０５】
ステップＳ２０８において、基準更新部１５６によって、上記ステップＳ２０６で選択された新たな品質基準機を管理用データベース１４２へ格納し、品質基準機を更新する。
【０１０６】
ステップＳ２１０において、品質基準機である画像形成装置１２が属していないグループの中から、処理対象のグループを１つ設定する。
【０１０７】
ステップＳ２１２において、上記ステップＳ２００で算出された処理対象のグループに属する画像形成装置１２の各々のスコアに基づいて、処理対象のグループにおいて最も高いスコアを有する画像形成装置１２は、現在のグループ基準機であるか否かを判定する。最も高いスコアを有する画像形成装置１２が現在のグループ基準機である場合には、ステップＳ２１４へ進む。一方、最も高いスコアを有する画像形成装置１２が現在のグループ基準機でない場合には、ステップＳ２１６へ進む。
【０１０８】
ステップＳ２１４において、上記ステップＳ２００で算出された処理対象のグループのグループ基準機の今回のスコアは、当該グループ基準機の前回のスコアより高い値か否かを判定する。グループ基準機の今回のスコアが、グループ基準機の前回のスコアより高い値である場合には、ステップＳ２２６へ進む。一方、上記ステップＳ２００で算出したグループ基準機のスコアがグループ基準機の前回のスコア以下である場合には、ステップＳ２２８へ進む。
【０１０９】
ステップＳ２１６において、上記ステップＳ２００で算出した処理対象のグループのグループ基準機の今回のスコアと、当該グループ基準機の前回のスコアとの差は予め定められた閾値以内であるか否かを判定する。当該差が予め定められた閾値以内である場合には、ステップＳ２２０へ移行する。当該差が予め定められた閾値より大きい場合には、ステップＳ２１８へ移行する。
【０１１０】
ステップＳ２１８において、画質管理サーバー１４によって、メンテナンス会社側サーバー１７へ信号を出力し、現在のグループ基準機についてメンテナンスが必要である旨を通知する。
【０１１１】
ステップＳ２２０において、グループ内基準更新部１５８によって、上記ステップＳ２００で算出された処理対象のグループに属する画像形成装置１２の各々のスコアに基づいて、処理対象のグループにおいて最も高いスコアを有する画像形成装置１２を処理対象のグループの新たなグループ基準機として選択する。
【０１１２】
ステップＳ２２２において、グループ内基準更新部１５８によって、上記ステップＳ２２０で選択されたグループ基準機を管理用データベース１４２へ格納し、処理対象のグループのグループ基準機を更新する。
【０１１３】
ステップＳ２２４において、上記ステップＳ２００で算出された、処理対象のグループの新たなグループ基準機のスコアは、過去のグループ基準機の最大スコア以下の値であるか否かを判定する。上記ステップＳ２００で算出された新たなグループ基準機のスコアが、過去のグループ基準機の最大スコア以下の値である場合には、ステップＳ２２８へ進む。一方、上記ステップＳ２００で算出した新たなグループ基準機のスコアが、過去のグループ基準機の最大スコアより大きい場合には、ステップＳ２２６へ進む。
【０１１４】
ステップＳ２２６において、グループ基準機の測定算出データを、グループ基準ターゲットデータとして管理用データベース１４２へ格納する。
【０１１５】
ステップＳ２２８において、品質基準機である画像形成装置１２が属していない全てのグループについて、上記ステップＳ２１０〜Ｓ２２８の処理を実行したか否かを判定する。品質基準機である画像形成装置１２が属していない全てのグループについて上記ステップＳ２１０〜Ｓ２２８の処理を実行した場合には、ステップＳ２３２へ進む。一方、上記ステップＳ２１０〜Ｓ２２８の処理を実行していないグループが存在する場合には、ステップＳ２１０へ戻る。
【０１１６】
ステップＳ２３０において、データ出力部１６０によって、品質基準機である画像形成装置１２が属していない各グループについて、管理用データベース１４２へ格納された当該グループのグループ基準機情報とグループ基準ターゲットデータとを、当該グループに属する各画像形成装置１２へ送信して、画質管理処理ルーチンを終了する。
【０１１７】
各画像形成装置１２は、基準データ受付部１２６によって、画質管理サーバー１４より送信されたグループ基準機情報とグループ基準ターゲットデータとを受け付ける。
【０１１８】
そして、カスタマーエンジニアが、画質調整用コンピュータ１５を、品質基準機である画像形成装置１２を含まないグループに属する画像形成装置１２に接続し、当該画像形成装置１２からグループ基準ターゲットデータを取得する。
【０１１９】
また、カスタマーエンジニアが画質調整用コンピュータ１５を操作することにより、当該画像形成装置１２から測定算出データを取得する。カスタマーエンジニアが、当該画像形成装置１２の測定算出データと、グループ基準ターゲットデータとに基づいて、画像再現に関する調整情報を算出し、調整情報に応じて画質調整用コンピュータ１５を操作することにより、調整用の信号を出力する。これにより、当該画像形成装置１２の画質調整部１２８によって、当該画像形成装置１２の画像再現に関する調整を行う。上記の画像再現に関する調整が、品質基準機である画像形成装置１２を含まないグループに属する各画像形成装置１２について繰り返される。
【０１２０】
このように、複数の画像形成装置１２を分類した各グループのうち、品質基準機を含まないグループの各々について、当該グループに分類された画像形成装置１２の中から、画像再現に関する調整の目標として用いる測定算出データを有するグループ基準機を選択するので、画質の再現の統一が図られる。
【０１２１】
以上、本実施形態に係る画像形成システムについて説明したが、本発明は上記実施形態に限定されない。
【０１２２】
例えば、本実施形態では、スコアを算出する際に、単色階調再現性能、色再現性能、及び濃度再現性能の各々の一致度を用いる場合について説明したが、これに限らず、単色階調再現性能、色再現性能、及び濃度再現性能の一致度に、その他の再現性能の一致度を加えてもよい。例えば、線再現性能や、画像の濃度むらに関する性能などの一致度を加えてもよい。
【０１２３】
また、本実施形態では、画像再現調整の基準に関する各種データとして、単色階調再現性能、色再現性能、及び濃度再現性能を用いる場合を例に説明したが、これに限らず、単色階調再現性能、色再現性能、及び濃度再現性能にその他の再現性能を加えてもよい。例えば、線再現性能や、画像の濃度むらに関する性能などを加えてもよい。この場合、その他の再現性能を含めた状態で、スコアの算出、画像再現に関する調整情報の算出等が行われる。
【０１２４】
また、本実施形態では、分類部１４８によって、複数の画像形成装置１２をグループに分類する場合を例に説明したが、これに限らず、画像形成装置の機種等に基づいて、複数の画像形成装置１２をグループに分類してもよい。
【０１２５】
また、本実施形態では、選択部１５０によってグループ基準機を選択する場合を例に説明したが、これに限定されるものではない。例えば、選択部１５０によってグループ基準機を選択し、選択されたグループ基準機をユーザに提示し、ユーザ又はカスタマーエンジニアによってグループ基準機が最終的に選択されるようにしてもよい。
【０１２６】
また、本実施形態では、複数の画像形成装置１２と画質管理サーバー１４とは、通信手段１３を介して各種データの送信と受信を行う場合を例に説明したが、これに限定されるものではない。例えば、画像形成装置１２側でカスタマーエンジニアが携帯する画質調整用コンピュータ１５を通信手段へ接続し、画質管理サーバー１４と各種データの送信と受信を行うようにしてもよい。
【０１２７】
また、品質基準機及びグループ基準機の少なくとも１つが更新された際に、通信手段を介してユーザ等へ品質基準機及びグループ基準機の少なくとも１つが更新された旨の通知をするようにしてもよい。
【０１２８】
また、上記各実施の形態では、色空間としてＬ＊ａ＊ｂ＊色空間を用いる形態を例示して説明したが、これに限定されず、他の色空間等を用いてもよい。
【０１２９】
また、上記各実施の形態では、本発明を電子写真方式の画像形成装置に適用する形態を例示して説明したが、これに限られず、たとえば、インクジェット方式の画像形成装置に適用してもよい。
【０１３０】
さらに、上記実施の形態で説明した画質調整処理ルーチンおよび画質管理処理ルーチンの処理の流れ（図１０、図１１、及び図１２参照）は一例であり、本発明の主旨を逸脱しない範囲内において不要なステップを削除したり、新たなステップを追加したり、処理順序を入れ替えたりしてもよい。
【０１３１】
本発明を通信手段により提供することはもちろん、ＣＤ−ＲＯＭ等の記録媒体に格納して提供することも可能である。
【０１３２】
また、本実施形態で説明した画像形成システム１０の構成（図１参照）は一例であり、本発明の主旨を逸脱しない範囲内において不要な部分を削除したり、新たな部分を追加したりしてもよいことは言うまでもない。
【０１３３】
本発明は、前述の実施の形態に限るものではなく、種々の変形、変更、改良が可能である。例えば、前述の変形例は、適宜、複数を組み合わせて構成しても良い。
【符号の説明】
【０１３４】
１０   画像形成システム
１２   画像形成装置
１３、１６    通信手段
１４   画質管理サーバー
１５   画質調整用コンピュータ
１７   メンテナンス会社側サーバー
１８   コンピュータ
２０   操作表示部
２２   画像読取部
２４   画像形成部
３４   ハードディスク
４０   コンピュータ
４２   操作部
４４   表示部
１２０ スキャンデータ受付部
１２２ 測定算出部
１２４ 出力部
１２６ 基準データ受付部
１２８ 画質調整部
１４０ データ受付部
１４２ 管理用データベース
１４４ 設定部
１４６ スコア算出部
１４８ 分類部
１５０ 選択部
１５２ 更新部
１５４ スコア算出部
１５６ 基準更新部
１５８ グループ内基準更新部
１６０ データ出力部
【図２】
2015076009.tif 000003
【図３】
2015076009.tif 000004
【図４】
2015076009.tif 000005
【図１０】
2015076009.tif 000006
【図１１】
2015076009.tif 000007
【図１２】
2015076009.tif 000008
【図１】
2015076009.tif 000009
【図５】
2015076009.tif 000010
【図６】
2015076009.tif 000011
【図７】
2015076009.tif 000012
【図８】
2015076009.tif 000013
【図９】
2015076009.tif 000014